(57)【要約】    【課題】      伝搬状況が良い場合には下り無線同期が確立するまでの初期送信電力制御区間を短くすること。    【解決手段】  ＢＴＳ１０２は、ＭＳ１０１から通知されるランピング回数をＲＮＣ１０３に送って伝搬状況及びＭＳ１０１が同期確立時に用いる初期送信電力値を取得し、取得した前記伝搬状況が良好である場合は、ＭＳ１０１の送信開始電力値が高くなるように、ＭＳ１０１の送信電力値を漸増させ前記初期送信電力値に到達するように制御するパラメータである増加回数、増加幅及び増加周期の一部又は全部を少な目に設定する。  【選択図】      図１
2006287489.tif 000002
【特許請求の範囲】
【請求項１】
セルサーチを行った移動局と無線基地局との間で同期確立ができるまでの期間において下り初期送信電力制御を行う移動通信システムにおいて、前記無線基地局は、無線受信したランダムアクセスチャネルに含まれる前記移動局が挿入した伝搬環境に関する情報を上位の制御装置に有線伝送して伝搬状況及び前記移動局が同期確立時に用いる初期送信電力値を取得する手段と、取得した前記伝搬状況に基づき初期送信電力制御パラメータである増加回数、増加幅及び増加周期の各値を決定する手段と、取得した前記初期送信電力値と決定した前記初期送信電力制御パラメータの各値とに基づき前記移動局の送信開始電力値を決定する手段と、下り個別チャネルを用いて、まず前記送信開始電力値を無線送信し、その後、前記初期送信電力制御パラメータの各値に基づき前記移動局の送信電力値を漸増させ前記初期送信電力値に到達するように制御する手段と、を具備することを特徴とする移動通信システム。
【請求項２】
前記無線基地局は、取得した前記伝搬状況が良好である程、前記送信開始電力値が高くなるように前記増加回数、増加幅及び増加周期の一部又は全部を少なく設定することを特徴とする請求項１記載の移動通信システム。
【請求項３】
前記移動局が通知する前記伝搬環境に関する情報は、前記無線基地局が送信する同期検出表示チャネルの受信ができるまでに行ったパワーランピングの回数をカウントしたランピング回数であることを特徴とする請求項１又は請求項２に記載の移動通信システム。
【請求項４】
前記移動局が通知する伝搬環境に関する情報は、所定の下り共通チャネルにて測定した受信強度であることを特徴とする請求項１又は請求項２に記載の移動通信システム。
【請求項５】
セルサーチを行った移動局と無線基地局との間で同期確立ができるまでの期間において下り初期送信電力制御を行う移動通信システムにおいて、前記無線基地局は、無線受信したランダムアクセスチャネルに含まれる前記移動局が挿入した伝搬環境に関する情報を上位の制御装置に有線伝送して伝搬状況及び前記移動局が同期確立時に用いる初期送信電力値を取得する工程と、取得した前記伝搬状況に基づき初期送信電力制御パラメータである増加回数、増加幅及び増加周期の各値を決定する工程と、取得した前記初期送信電力値と決定した前記初期送信電力制御パラメータの各値とに基づき前記移動局の送信開始電力値を決定する工程と、下り個別チャネルを用いて、まず前記送信開始電力値を無線送信し、その後、前記初期送信電力制御パラメータの各値に基づき前記移動局の送信電力値を漸増させ前記初期送信電力値に到達するように制御する工程と、を具備することを特徴とする下り初期送信電力制御方法。
【発明の詳細な説明】
【技術分野】
【０００１】
本発明は、移動通信システム及び下り初期送信電力制御方法に関する。
【背景技術】
【０００２】
図１１は、従来の移動通信システムの構成例を示すブロック図である。なお、図１１では、主に下り初期送信電力制御に関わる構成が示されている。図１１に示す移動通信システム１１００は、移動局（ＭＳ）１１０１と、各セルないしは各セクタにおいて移動局（ＭＳ）１１０１が無線接続される無線基地局装置（ＢＴＳ）１１０２と、各ＢＴＳ１１０１が有線接続される上位装置である基地局制御装置（ＲＮＣ）１１０３とを備えている。
【０００３】
移動局（ＭＳ）１１０１は、アンテナ１１１１が接続される無線部１１１２と、ＲＡＣＨ（ランダムアクセスチャネル）送信部１１１３と、ＢＣＨ（報知チャネル）受信部１１１４と、受信ＳＩＲ（希望波対干渉波比）算出部１１１５とを備えている。
【０００４】
無線部１１１２は、アンテナ１１１１が受信したギガヘルツ帯の下り無線信号をベースバンド帯の信号にダウンコンバートし、搬送波に乗せられた情報（ベースバンドＩＱ信号）を取り出し、ＢＣＨ受信部１１１４に与える。ＢＣＨ受信部１１１４は、無線部１１１２から受け取るベースバンドＩＱ信号に含まれている下り共通チャネルであるＢＣＨを逆拡散・復調し、受信ＳＩＲ算出部１１１５に与える。
【０００５】
受信ＳＩＲ算出部１１１５は、ＢＣＨの受信強度としてＳＩＲ値を算出し、ＲＡＣＨ送信部１１１３に与える。ＲＡＣＨ送信部１１１３は、受信ＳＩＲ算出部１１１５から受け取った受信ＳＩＲ値を上り共通チャネルであるＲＡＣＨに挿入し、そのＲＡＣＨを変調・拡散し、ベースバンドＩＱ信号として無線部１１１２に与える。無線部１１１２は、ＲＡＣＨ送信部１１１３から受け取ったベースバンドＩＱ信号を乗せた搬送波をギガヘルツ帯の無線信号にアップコンバートし、アンテナ１１１１を励振して上りリンクに送出する。
【０００６】
また、無線基地局装置（ＢＴＳ）１１０２は、アンテナ１１２１が接続される無線部１１２２と、ＲＡＣＨ受信部１１２３と、ＲＡＣＨ復号部１１２４と、ＢＣＨ送信部１１２５と、ＤＰＣＨ（下り個別チャネル）符号部１１２６と、ＤＰＣＨ送信部１１２７とを備えている。
【０００７】
無線部１１２２は、アンテナ１１２１が受信したギガヘルツ帯の上り無線信号をベースバンド帯の信号にダウンコンバートし、搬送波に乗せられた情報（ベースバンドＩＱ信号）を取り出し、ＲＡＣＨ受信部１１２３に与える。ＲＡＣＨ受信部１１２３は、無線部１１２２から受け取るベースバンドＩＱ信号に含まれている上り共通チャネルであるＲＡＣＨを逆拡散・復調し、ＲＡＣＨ復号部１１２４に与える。ＲＡＣＨ復号部１１２４は、ＲＡＣＨ受信部１１２３から受け取ったＲＡＣＨの信号を復号し、有線伝送路１１０４を介して基地局制御装置（ＲＮＣ）１１０３に送出する。
【０００８】
ＢＣＨ送信部１１２５は、有線伝送路１１０４を介して基地局制御装置（ＲＮＣ）１１０３ら受け取ったＢＣＨを変調・拡散し、ベースバンドＩＱ信号として無線部１１２２に与える。無線部１１２２は、ＢＣＨ送信部１１２５から受け取ったベースバンドＩＱ信号を乗せた搬送波をギガヘルツ帯の無線信号にアップコンバートし、アンテナ１１２１を励振して下りリンクに送出する。
【０００９】
ＤＰＣＨ符号部１１２６は、有線伝送路１１０４を介して基地局制御装置（ＲＮＣ）１１０３から受け取ったＤＰＣＨを符号化してＤＰＣＨ送信部１１２７に与える。ＤＰＣＨ送信部１１２７は、ＤＰＣＨ符号部１１２６から受け取った符号化ＤＰＣＨを変調・拡散し、ベースバンドＩＱ信号として無線部１１２２に与える。無線部１１２２は、ＤＰＣＨ送信部１１２７から受け取ったベースバンドＩＱ信号を乗せた搬送波をギガヘルツ帯の無線信号にアップコンバートし、アンテナ１１２１を励振して下りリンクに送出する。
【００１０】
また、基地局制御装置（ＲＮＣ）１１０３は、ＭＳ受信ＳＩＲ検出部１１３１と、伝搬状況判定部１１３２と、ＤＰＣＨ初期送信電力値決定部１１３３と、呼制御データ伝送部１１３４とを備えている。
【００１１】
ＭＳ受信ＳＩＲ検出部１１３１は、ＲＡＣＨ復号部１１２４から受け取った情報から受信ＳＩＲ値を取り出し、伝搬状況判定部１１３２に与える。伝搬状況判定部１１３２は、ＭＳ受信ＳＩＲ検出部１１３１から受け取った受信ＳＩＲ値から伝搬状況を判定し、判定結果をＤＰＣＨ初期送信電力値決定部１１３３に与え、また有線伝送路１１０４を介して無線基地局装置（ＢＴＳ）１１０２に送出する。ＤＰＣＨ初期送信電力値決定部１１３３は、伝搬状況判定部１１３２が判定した伝搬状況に基づき初期送信電力値を決定し、有線伝送路１１０４を介して無線基地局装置（ＢＴＳ）１１０２に送出する。一方、呼制御データ伝送部１１３４は、無線基地局装置（ＢＴＳ）１１０２と交換局との間での通話情報等の呼制御データの有線伝送を実現する。
【００１２】
次に、図１１と図１２を参照して従来の下り初期送信電力制御方法について説明する。なお図１２は、従来の下り初期送信電力制御手順を説明する図である。ＭＳ１１０１は、ユーザから接続要求が入力すると、セルサーチによる下り無線リンクの確立動作を行う。下り無線リンクが確立すると、次いでＭＳ１１０１は、ＢＴＳ１１０２との上り無線リンクを確立するため、通信開始時に、ＲＡＣＨを用いて上り無線リンクへのランダムアクセス制御を実行する。
【００１３】
このランダムアクセス制御は、次のような手順で実行される。［手順１］ＲＡＣＨは、１つ以上のプリアンブル部とそれに後続するメッセージ部とで構成されるが、ＭＳ１１０１は、まず、プリアンブル部のみのＲＡＣＨを送信する。［手順２］ＢＴＳ１１０２は、プリアンブル部の受信を検出できると、プリアンブル部を検出できたことを示すＡＩＣＨ（同期検出表示チャネル）を送信する。［手順３］ＭＳ１１０１は、ＡＩＣＨを受信できると、ＢＴＳ１１０２ではメッセージ部の拡散符号及び受信タイミングが検出できると判断して、受信ＳＩＲ値を挿入したメッセージ部を含むＲＡＣＨを送信する。以上は、伝搬状況が良好な場合である。
【００１４】
伝搬状況が悪い場合には、手順３においてＭＳ１１０１は、ＡＩＣＨを受信できない場合がある。また、手順２においてＢＴＳ１１０２がプリアンブル部を受信できず、ＡＩＣＨを送信しない場合も、ＭＳ１１０１は、ＡＩＣＨを受信できない。そこで、［手順４］ＭＳ１１０１は、ＡＩＣＨを受信できるまで、手順１に示すプリアンブル部のみのＲＡＣＨを再送信することを繰り返す。ＭＳ１１０１は、これによって、ＡＩＣＨを受信できると、［手順３］を実行する。
【００１５】
この手順４でのプリアンブル部のみのＲＡＣＨの再送動作では、ＭＳ１１０１は、ＡＩＣＨを受信できるまで、複数回（ランピング回数）送信電力を前回送信したときの送信電力にパワーランピングのステップ幅だけ増大し、繰り返し送信する。なお、パワーランピング幅とランピング回数は、ＭＳ１１０１に予め定められているパラメータである。
【００１６】
以上説明した手順１〜手順４によるランダムアクセス制御が行われている区間が図１２に示す未送信区間１２０１である。ＢＴＳ１１０２は、ＭＳ１１０１からメッセージ部を含むＲＡＣＨを受信すると、初期送信電力制御を開始する。
【００１７】
即ち、ＢＴＳ１１０２は、ＭＳ１１０１からのメッセージ部に含まれている受信ＳＩＲ値を復号してＲＮＣ１１０３に通知する。ＲＮＣ１１０３は、ＭＳ１１０１からの受信ＳＩＲ値を元にＭＳ１１０１とＢＴＳ１１０２との間の無線伝搬状況を判定し、下り初期送信電力値（変動値）を決定する。ＲＮＣ１１０３では、下り初期送信電力値が高いと、他のＭＳへの干渉となるので、出来るだけ低い電力で下り無線同期を確立させるとの観点から、下り初期送信電力値を決定する。
【００１８】
ＢＴＳ１１０２は、ＲＮＣ１１０３が決定した下り初期送信電力値（変動値）を基準に、定められた増加回数（固定値）と増加幅（固定値）とを用いて下り初期送信開始電力値を算出し、ＭＳ１１０１に送信する。ＢＴＳ１１０２は、下り初期送信開始電力値の送信後は、下り初期送信電力値に到達するまで、増加回数（固定値）と増加幅（固定値）と増加周期（固定値）とを用いてＭＳ１１０１の送信電力を増加させる制御を繰り返す。
【００１９】
以上が図１２に示す初期送信電力制御区間１２０２での動作であり、その後無線同期確立区間１２０３に移行する。ＲＮＣ１１０３が決定した下り初期送信電力値を下り初期送信開始電力値として送信すれば、その決定した下り初期送信電力値付近で無線同期を確立できることが想定されるが、従来では、図１２に示すように、送信開始時はある程度低めの電力値で制御し、緩やかに送信電力を増加させる制御を行っている。
【００２０】
図１２に示すように、伝搬環境が悪い場合は、ＭＳ１１０１が受信し易い状態にするため、下り初期送信電力値と送信開始電力値とは共に高めに設定される。一方、伝搬環境が良い場合は、下り初期送信電力値と送信開始電力値とは共に低めに設定される。これは、伝搬状態が良い分、電力を低めにしてもＭＳ１１０１が受信可能であることによる。そして、初期送信電力制御区間は、何れの場合も、固定期間である。これは、下り初期送信電力の変化分を下り送信開始電力値に反映するための措置である。
【特許文献１】国際公開第９８／０４８５２８号パンフレット
【発明の開示】
【発明が解決しようとする課題】
【００２１】
従来の下り初期送信電力制御方法では、伝搬状況が良い場合でも、初期送信電力制御区間は、伝搬状況が悪い場合と同じ制御区間を要するので、下り無線同期が確立するまでの時間が長くなるという問題がある。
【００２２】
本発明は、かかる点に鑑みてなされたものであり、伝搬状況が良い場合には下り無線同期が確立するまでの初期送信電力制御区間を短くすることのできる移動通信システム及び下り初期送信電力制御方法を提供することを目的とする。
【課題を解決するための手段】
【００２３】
かかる課題を解決するため、本発明に係る移動通信システムは、セルサーチを行った移動局と無線基地局との間で同期確立ができるまでの期間において下り初期送信電力制御を行う移動通信システムにおいて、前記無線基地局は、無線受信したランダムアクセスチャネルに含まれる前記移動局が挿入した伝搬環境に関する情報を上位の制御装置に有線伝送して伝搬状況及び前記移動局が同期確立時に用いる初期送信電力値を取得する手段と、取得した前記伝搬状況に基づき初期送信電力制御パラメータである増加回数、増加幅及び増加周期の各値を決定する手段と、取得した前記初期送信電力値と決定した前記初期送信電力制御パラメータの各値とに基づき前記移動局の送信開始電力値を決定する手段と、下り個別チャネルを用いて、まず前記送信開始電力値を無線送信し、その後、前記初期送信電力制御パラメータの各値に基づき前記移動局の送信電力値を漸増させ前記初期送信電力値に到達するように制御する手段とを具備する構成を採る。
【００２４】
また、本発明に係る下り初期送信電力制御方法は、セルサーチを行った移動局と無線基地局との間で同期確立ができるまでの期間において下り初期送信電力制御を行う移動通信システムにおいて、前記無線基地局は、無線受信したランダムアクセスチャネルに含まれる前記移動局が挿入した伝搬環境に関する情報を上位の制御装置に有線伝送して伝搬状況及び前記移動局が同期確立時に用いる初期送信電力値を取得する工程と、取得した前記伝搬状況に基づき初期送信電力制御パラメータである増加回数、増加幅及び増加周期の各値を決定する工程と、取得した前記初期送信電力値と決定した前記初期送信電力制御パラメータの各値とに基づき前記移動局の送信開始電力値を決定する工程と、下り個別チャネルを用いて、まず前記送信開始電力値を無線送信し、その後、前記初期送信電力制御パラメータの各値に基づき前記移動局の送信電力値を漸増させ前記初期送信電力値に到達するように制御する工程とを具備するようにした。
【発明の効果】
【００２５】
本発明によれば、伝搬状況が良い場合には下り無線同期が確立するまでの初期送信電力制御区間を短くすることができるので、下り無線同期確立に至るまでの時間を短縮することができる。
【発明を実施するための最良の形態】
【００２６】
以下、本発明の実施の形態について図面を参照して詳細に説明する。
【００２７】
（実施の形態１）
図１は本発明の実施の形態１に係る移動通信システムの構成を示すブロック図である。なお、図１では、図１１（従来例）に示した構成要素と同一ないしは同等である構成要素には同一の符号が付されている。ここでは、本実施の形態１に関わる部分を中心に説明する。
【００２８】
図１に示すように、本実施の形態１に係る移動通信システム１００は、移動局（ＭＳ）１０１と、無線基地局装置（ＢＴＳ）１０２と、基地局制御装置（ＲＮＣ）１０３とを備えている。
【００２９】
移動局（ＭＳ）１０１では、図１１（従来例）に示した移動局（ＭＳ）１１０１において、ＢＣＨ受信部１１１４と受信ＳＩＲ算出部１１１５に代えて、ＡＩＣＨ受信部１１１とランダムアクセス判定部１１２とランピング回数報知部１１３とが設けられている。
【００３０】
ＡＩＣＨ受信部１１１は、無線部１１１２から受け取るベースバンドＩＱ信号に含まれている下り共通チャネルであるＡＩＣＨを逆拡散・復調し、ランダムアクセス判定部１１２に与える。ランダムアクセス判定部１１２は、ＡＩＣＨ受信部１１１からＡＩＣＨを受け取ると、ＲＡＣＨ送信部１１１３でのプリアンブル部のみのＲＡＣＨ送信を停止させ、メッセージを含むＲＡＣＨの送信を開始させる。ランピング回数報知部１１３は、ランダムアクセス判定部１１２がＡＩＣＨ受信を判定した場合にＲＡＣＨ送信部１１１３に対して無線基地局装置（ＢＴＳ）１０２に報知するランピング回数を出力する。ＲＡＣＨ送信部１１１３は、メッセージにランピング回数を含ませたＲＡＣＨを送信する。
【００３１】
また、無線基地局装置（ＢＴＳ）１０２では、図１１（従来例）に示した無線基地局装置（ＢＴＳ）１１０２において、ＢＣＨ送信部１１２５に代えて、ＡＩＣＨ送信部１２１が設けられ、送信開始電力値決定部１２２が追加されている。
【００３２】
ＡＩＣＨ送信部１２１は、ＲＡＣＨ受信部１１２３からプリアンブル部を受け取ると、上り共通チャネルであるＡＩＣＨを変調・拡散し、ベースバンドＩＱ信号として無線部１１２２に与える。送信開始電力値決定部１２２は、有線伝送路１１０４を介して基地局制御装置（ＲＮＣ）１０３から受け取った初期送信電力値と伝搬状況とに基づき、送信開始電力値と初期送信電力制御パラメータ（増加回数、増加幅、増加周期）とを決定し、決定した送信開始電力値をＤＰＣＨ送信部１１２７に与える。
【００３３】
また、基地局制御装置（ＲＮＣ）１０３では、図１１（従来例）に示した基地局制御装置（ＲＮＣ）１１０３において、ＭＳ受信ＳＩＲ検出部１１３１に代えて、ランピング回数受信部１３１が設けられている。また、伝搬状況判定部１１３２に代えて伝搬状況判定部１３２が設けられている。
【００３４】
ランピング回数受信部１３１は、有線伝送路１１０４を介してＲＡＣＨ復号部１１２４から受け取った情報からランピング回数を取り出し、伝搬状況判定部１３２に与える。伝搬状況判定部１３２は、ランピング回数受信部１３１から受け取ったランピング回数から伝搬状況を判定し、判定結果をＤＰＣＨ初期送信電力値決定部１１３３に与え、また有線伝送路１１０４を介して無線基地局装置（ＢＴＳ）１０２の送信開始電力値決定部１２２に送出する。
【００３５】
次に、図１〜図７を参照して、本実施の形態１による下り初期送信電力制御方法について説明する。なお、図２は、図１に示す移動局が通信開始時に行うランダムアクセス制御動作を説明するフローチャートである。図３は、図１に示す無線基地局装置のＲＡＣＨ受信動作を説明するフローチャートである。図４は、図１に示す無線基地局装置が受信したＲＡＣＨに基づき図１に示す基地局制御装置が伝搬状況に応じた初期送信電力値を決定する動作の一例を説明する図である。図５は、図１に示す無線基地局装置が行う下り個別チャネルを用いた初期送信電力制御動作を説明するフローチャートである。図６は、図１に示す無線基地局装置が伝搬状況に応じて送信開始電力値を増減させる動作の一例を説明する図である。図７は、図１に示す移動通信システムにて実施される下り初期送信電力制御手順を説明する図である。ここで、図２、図３及び図５の説明では、手順を示すステップを「ＳＴ」と略記して使用する。
【００３６】
図２において、ＭＳ１０１は、セルサーチを完了すると（ＳＴ２０１：Ｙｅｓ）、ＲＡＣＨ送信部１１１３がプリアンブル部のみのＲＡＣＨを無線送信し（ＳＴ２０２）、ランダムアクセス判定部１１２がＡＩＣＨの受信成功有無を調べる（ＳＴ２０３）。ＡＩＣＨの受信ができない場合（ＳＴ２０３：Ｎｏ）は、ランダムアクセス判定部１１２がプリアンブル部のみのＲＡＣＨの送信電力値を増加させるパワーランピングを行い（ＳＴ２０４）、ランピング回数報知部１１３がランピング回数をインクリメントし（ＳＴ２０５）、ＲＡＣＨ送信部１１１３が、再度、プリアンブル部のみのＲＡＣＨを無線送信し（ＳＴ２０２）、ランダムアクセス判定部１１２がＡＩＣＨの受信成功有無を調べる（ＳＴ２０３）。
【００３７】
ＳＴ２０２→ＳＴ２０３：Ｎｏ→ＳＴ２０４→ＳＴ２０５→ＳＴ２０２の繰り返し動作の結果、ＡＩＣＨの受信ができると（ＳＴ２０３：Ｙｅｓ）、ランダムアクセス判定部１１２は、ＲＡＣＨ送信部１１１３にプリアンブル部のみのＲＡＣＨの送信を停止させ、ランピング回数報知部１１３からランピング回数を取得させ（ＳＴ２０６）、それをメッセージ部に挿入したＲＡＣＨを無線送信させる（ＳＴ２０７）。
【００３８】
図３において、ＢＴＳ１０２は、プリアンブル部のみのＲＡＣＨの受信有無を監視し（ＳＴ３０１）、プリアンブル部のみのＲＡＣＨを受信できると（ＳＴ３０１：Ｙｅｓ）、ＡＩＣＨを無線送信する（ＳＴ３０２）。次いで、メッセージ部を含むＲＡＣＨを受信すると（ＳＴ３０３）、それを復号してＲＮＣ１０３に有線伝送する（ＳＴ３０４）。
【００３９】
ＲＮＣ１０３では、図１において、ランピング回数受信部１３１がランピング回数を復号データから取り出し、伝搬状況判定部１３２がランピング回数によって伝搬状況の良否を判断し、ＤＰＣＨ初期送信電力値決定部１１３３が伝搬状況に依存した初期送信電力値を決定する（図４参照）。判断した伝搬状況及び決定した初期送信電力値は、ＢＴＳ１０２の送信開始電力値決定部１２２に有線伝送される。
【００４０】
図４では、「ランピング回数」と、判断する「伝搬状況」と、決定する「初期送信電力値」との関係例が示されている。例えば、図４に示すように、ランピング回数＝１では、伝搬状況はかなり良好と判断され、初期送信電力値は伝搬状況が悪い場合よりも６ｄＢ減少した値に決定される。また、ランピング回数＝２では、伝搬状況は良好と判断され、初期送信電力値は伝搬状況が悪い場合よりも３ｄＢ減少した値に決定される。また、ランピング回数＝３では、伝搬状況は普通と判断され、初期送信電力値は従来例よりも１ｄＢ減少した値に決定される。そして、ランピング回数が４以上では、伝搬状況は悪いと判断され、初期送信電力値は±０ｄＢの値に決定される。
【００４１】
ＢＴＳ１０２では、図５に示す手順で初期送信電力制御が実行される。図５において、ＢＴＳ１０２の送信開始電力値決定部１２２では、ＲＮＣ１０３から伝搬状況（かなり良好、良好、普通、悪い）と初期送信電力制御パラメータ（増加回数、増加幅、増加周期）とを取得すると（ＳＴ５０１、ＳＴ５０２）、ＲＮＣ１０３が決定した伝搬状況（かなり良好、良好、普通、悪い）に依存した初期送信電力制御パラメータ（増加回数、増加幅、増加周期）の値を例えば図６に示すように決定する（ＳＴ５０３）。
【００４２】
そして、送信開始電力値決定部１２２では、ＲＮＣ１０３から取得する初期送信電力値（ＳＴ５０４）に、ＳＴ５０３にて決定した初期送信電力制御パラメータ（増加回数、増加幅、増加周期）の値を適用して、例えば図６に示すように、ＲＮＣ１０３が決定した伝搬状況（かなり良好、良好、普通、悪い）に依存した送信開始電力値を算出する（ＳＴ５０５）。
【００４３】
図６ではＲＮＣ１０３が決定した伝搬状況（かなり良好、良好、普通、悪い）と送信開始電力値決定部１２２が決定する増加回数（送信開始電力）との関係例が示されている。なお、図６では、増加幅は、１ｄＢとしている。図６に示すように、伝搬状況が「かなり良好」である場合は、例えば、増加回数＝６回減少と決定し、送信開始電力＝６ｄＢ増加と算出する。伝搬状況が「良好」である場合は、増加回数＝３回減少と決定し、送信開始電力＝３ｄＢ増加と算出する。伝搬状況が「普通」である場合は、増加回数＝１回減少と決定し、送信開始電力＝１ｄＢ増加と算出する。そして、伝搬状況が「悪い」である場合は、増加回数及び送信開始電力は従来例と同様の値（±０ｄＢ）に決定される。
【００４４】
図５に戻って、送信開始電力値決定部１２２が上記のように算出した送信開始電力値はＤＰＣＨ送信部１１２７にて下り個別チャネルであるＤＰＣＨに乗せられてＭＳ１０１宛てに無線送信され、下り初期送信電力制御が開始される（ＳＴ５０６）。
【００４５】
下り初期送信電力制御では、決定した増加回数、増加幅、増加周期の値を用いて、ＭＳ１０１の送信電力値が初期送信電力値に到達するまで、ＭＳ１０１の送信電力を増加させることが繰り返される（ＳＴ５０７→ＳＴ５０８：Ｎｏ→ＳＴ５０７）。ＭＳ１０１の送信電力値が初期送信電力値に到達すると（ＳＴ５０８：Ｙｅｓ）、無線同期確立の処理に移行する。本実施の形態での下り初期送信電力制御は、図７に示すようになる。
【００４６】
図７に示すように、伝搬環境が良い場合には、初期送信電力値は、従来例（図１２）と同様に値（ａ）だけ低くなるが、送信開始電力値は、従来例（図１２）よりも値（ｂ）だけ高くなり、初期送信電力制御区間７０２は、従来例（図１２）よりも区間（ｃ）だけ短くなる。
【００４７】
このように、本実施の形態１によれば、伝搬状況によって初期送信電力値を増減させるだけでなく、初期送信電力制御による電力増加方法を変化させるようにしたので、伝搬状況が良いと判断できる場合においては、初期送信電力制御区間を短縮できる。これによって、下り無線同期確立までに時間を短縮することが可能となり、スムーズな移動通信サービスが実現可能となる。
【００４８】
（実施の形態２）
図８は本発明の実施の形態２に係る移動通信システムの構成を示すブロック図である。なお、図８では、図１１（従来例）や図１（実施の形態１）に示した構成要素と同一ないしは同等である構成要素には同一の符号が付されている。ここでは、本実施の形態２に関わる部分を中心に説明する。
【００４９】
図８に示すように、本実施の形態２に係る移動通信システム８００は、移動局（ＭＳ）８０１と、無線基地局装置（ＢＴＳ）８０２と、基地局制御装置（ＲＮＣ）８０３とを備えている。
【００５０】
移動局（ＭＳ）８０１は、図１１（従来例）に示した移動局（ＭＳ）１１０１と同様の構成である。無線基地局装置（ＢＴＳ）８０２では、図１１（従来例）に示した無線基地局装置（ＢＴＳ）１１０２において、図１に示した送信開始電力値決定部１２２が追加されている。基地局制御装置（ＲＮＣ）８０３では、図１１（従来例）に示した基地局制御装置（ＲＮＣ）１１０３において、伝搬状況判定部１１３２に代えて伝搬状況判定部８３１が設けられ、基準ＳＩＲ保持部８３２が追加されている。
【００５１】
基準ＳＩＲ保持部８３２には、伝搬状況判定部８３１がＭＳ受信ＳＩＲ検出部１１３１からの受信ＳＩＲ値と比較して伝搬状況を判定する基準となるＳＩＲ値が保持されている。
【００５２】
次に、図８〜図１０を参照して、本実施の形態２による下り初期送信電力制御方法について説明する。なお、図９は、図８に示す無線基地局装置が受信したＲＡＣＨに基づき図８に示す基地局制御装置が伝搬状況に応じた初期送信電力値を決定する動作の一例を説明する図である。図１０は、図８に示す無線基地局装置が伝搬状況に応じて送信開始電力値を増減させる動作の一例を説明する図である。
【００５３】
ＭＳ８０１は、ＢＴＳ８０２からＡＩＣＨを受信できると、測定したＢＣＨの受信ＳＩＲ値を乗せたＲＡＣＨを無線送信する。ＢＴＳ８０２は、無線受信したＲＡＣＨの情報を復号してＲＮＣ８０３に有線伝送する。
【００５４】
ＲＮＣ８０３では、ＭＳ受信ＳＩＲ検出部１１３１が復号データから受信ＳＩＲ値を検出する。伝搬状況判定部８３１は、ＭＳ受信ＳＩＲ検出部１１３１からの受信ＳＩＲ値と基準ＳＩＲ保持部８３２が保持する基準ＳＩＲ値と比較して伝搬状況を判定する。ＤＰＣＨ初期送信電力値決定部１１３３は、伝搬状況判定部８３１が判定した伝搬状況に応じた初期送信電力値を決定し、ＢＴＳ８０２の送信開始電力値決定部１２２に対して有線伝送する。
【００５５】
図９では、「ＢＣＨ受信ＳＩＲ値」と、判断する「伝搬状況」と、決定する「初期送信電力値」との関係例が示されている。例えば、図９に示すように、受信ＳＩＲ値が基準ＳＩＲ値に対して２ｄＢ以上高い場合は、伝搬状況は「かなり良好」と判定され、初期送信電力値は伝搬状況が悪い場合よりも６ｄＢ減少した値に決定される。受信ＳＩＲ値が基準ＳＩＲ値に対して１ｄＢ以上高い場合は、伝搬状況は「良好」と判定され、初期送信電力値は伝搬状況が悪い場合よりも３ｄＢ減少した値に決定される。受信ＳＩＲ値が基準ＳＩＲ値に対して１ｄＢ未満である場合は、伝搬状況は「普通」と判定され、初期送信電力値は伝搬状況が悪い場合よりも１ｄＢ減少した値に決定される。受信ＳＩＲ値が基準ＳＩＲ値に対して０．５ｄＢ未満である場合は、伝搬状況は「悪い」と判定され、初期送信電力値は±０ｄＢの値に決定される。
【００５６】
ＢＴＳ８０２の送信開始電力値決定部１２２では、ＲＮＣ８０３から伝搬状況（かなり良好、良好、普通、悪い）及び初期送信電力値を取得すると、伝搬状況（かなり良好、良好、普通、悪い）に依存した初期送信電力制御パラメータ（増加回数、増加幅、増加周期）の値を例えば図１０に示すように決定する。
【００５７】
図１０では、ＲＮＣ８０３が決定した伝搬状況（かなり良好、良好、普通、悪い）と送信開始電力値決定部１２２が決定する増加回数（送信開始電力）との関係例が示されている。なお、図１０では、増加幅は、１ｄＢとしている。図１０に示すように、伝搬状況が「かなり良好」である場合は、例えば、増加回数＝６回減少と決定し、送信開始電力＝６ｄＢ増加と算出する。伝搬状況が「良好」である場合は、増加回数＝３回減少と決定し、送信開始電力＝３ｄＢ増加と算出する。伝搬状況が「普通」である場合は、増加回数＝１回減少と決定し、送信開始電力＝１ｄＢ増加と算出する。そして、伝搬状況が「悪い」である場合は、増加回数及び送信開始電力は従来例と同様の値（±０ｄＢ）に決定される。
【００５８】
送信開始電力値決定部１２２が上記のように算出した送信開始電力値はＤＰＣＨ送信部１１２７にて下り個別チャネルであるＤＰＣＨに乗せられてＭＳ８０１宛てに無線送信され、下り初期送信電力制御が開始される。
【００５９】
このように、本実施の形態２によれば、実施の形態１と同様に、伝搬状況によって初期送信電力値を増減させるだけでなく、初期送信電力制御による電力増加方法を変化させるようにしたので、伝搬状況が良いと判断できる場合においては、初期送信電力制御区間を短縮できる。これによって、下り無線同期確立までに時間を短縮することが可能となり、スムーズな移動通信サービスが実現可能となる。
【００６０】
なお、実施の形態１ではランピング回数を用いて、実施の形態２では受信ＳＩＲ値と基準ＳＩＲとの比較結果を用いて、伝搬状況を判断するようにしたが、その他、例えば上り共通チャネルであるＲＡＣＨの受信強度ＳＩＲを測定し、その受信ＳＩＲ値を用いて伝搬状況を判定し、下り初期送信電力制御に反映するようにしてもよい。
【産業上の利用可能性】
【００６１】
本発明は、伝搬状況が良好な場合に初期送信電力制御区間を短縮するのに有用である。
【図面の簡単な説明】
【００６２】
【図１】本発明の実施の形態１に係る移動通信システムの構成を示すブロック図
【図２】図１に示す移動局が通信開始時に行うランダムアクセス制御動作を説明するフローチャート
【図３】図１に示す無線基地局装置のＲＡＣＨ受信動作を説明するフローチャート
【図４】図１に示す無線基地局装置が受信したＲＡＣＨに基づき図１に示す基地局制御装置が伝搬状況に応じた初期送信電力値を決定する動作の一例を説明する図
【図５】図１に示す無線基地局装置が行う下り個別チャネルを用いた初期送信電力制御動作を説明するフローチャート
【図６】図１に示す無線基地局装置が伝搬状況に応じて送信開始電力値を増減させる動作の一例を説明する図
【図７】図１に示す移動通信システムにて実施される下り初期送信電力制御手順を説明する図
【図８】本発明の実施の形態２に係る移動通信システムの構成を示すブロック図
【図９】図８に示す無線基地局装置が受信したＲＡＣＨに基づき図８に示す基地局制御装置が伝搬状況に応じた初期送信電力値を決定する動作の一例を説明する図
【図１０】図８に示す無線基地局装置が伝搬状況に応じて送信開始電力値を増減させる動作の一例を説明する図
【図１１】従来の移動通信システムの構成例を示すブロック図
【図１２】図１１に示す従来の移動通信システムにて実施される下り初期送信電力制御手順を説明する図
【符号の説明】
【００６３】
１００、８００  移動通信システム
１０１、８０１  移動局（ＭＳ）
１０２、８０２  無線基地局装置（ＢＴＳ）
１０３、８０３  基地局制御装置（ＲＮＣ）
１１１  ＡＩＣＨ受信部
１１２  ランダムアクセス判定部
１１３  ランピング回数報知部
１２１  ＡＩＣＨ送信部
１２２  送信開始電力値決定部
１３１  ランピング回数受信部
１３２、８３１  伝搬状況判定部
８３２  基準ＳＩＲ保持部
１１１１、１１２１  アンテナ
１１１２、１１２２  無線部
１１１３  ＲＡＣＨ送信部
１１２３  ＲＡＣＨ受信部
１１２４  ＲＡＣＨ復号部
１１２５  ＢＣＨ送信部
１１２６  ＤＰＣＨ符号部
１１２７  ＤＰＣＨ送信部
１１３１  ＭＳ受信ＳＩＲ検出部
１１３３  ＤＰＣＨ初期送信電力値決定部
１１３４  呼制御データ伝送部
【図１】
2006287489.tif 000003
【図２】
2006287489.tif 000004
【図３】
2006287489.tif 000005
【図４】
2006287489.tif 000006
【図５】
2006287489.tif 000007
【図６】
2006287489.tif 000008
【図７】
2006287489.tif 000009
【図８】
2006287489.tif 000010
【図９】
2006287489.tif 000011
【図１０】
2006287489.tif 000012
【図１１】
2006287489.tif 000013
【図１２】
2006287489.tif 000014